(57)【要約】      （修正有）【課題】筆記後の加熱等の２次的な作業を不要とし、且つ十分な立体感を有する描線を得ることのできる筆記具を提供すること。【解決手段】（Ａ）脂肪酸０．５〜１０質量％、（Ｂ）疎水性部分が脂肪族炭化水素であるノニオン系界面活性剤０．５〜１０質量％、（Ｃ）合成樹脂粒子が固形分で５〜４０質量％、及び（Ｄ）水を少なくとも含む起泡性の水性インキ組成物が、（Ｅ）発泡・噴射剤とともに加圧状態が保てる容器に収容されている筆記具である。【選択図】図１
2008279629.tif 000002
【特許請求の範囲】
【請求項１】
（Ａ）脂肪酸０．５〜１０質量％、（Ｂ）疎水性部分が脂肪族炭化水素であるノニオン系界面活性剤０．５〜１０質量％、（Ｃ）合成樹脂粒子が固形分で５〜４０質量％、及び（Ｄ）水を少なくとも含む起泡性の水性インキ組成物が、（Ｅ）発泡・噴射剤とともに加圧状態が保てる容器に収容されていることを特徴とする筆記具。
【請求項２】
（Ａ）脂肪酸が、炭素数１４〜１８である請求項１記載の筆記具。
【請求項３】
（Ｂ）のノニオン系界面活性剤の親水性部分がポリグリセリン又はショ糖の何れかの骨格からなる請求項１又は２に記載の筆記具。
【請求項４】
（Ｂ）のノニオン系界面活性剤の疎水性部分が炭素数１０〜２０の脂肪族炭化水素である請求項１〜３のいずれかに記載の筆記具。
【請求項５】
（Ｃ）合成樹脂粒子がアクリル系若しくはウレタン系のいずれかの粒子を含む請求項１〜４のいずれかに記載の筆記具。
【請求項６】
（Ｃ）合成樹脂粒子において、全合成樹脂粒子成分に対し固形分換算で５０質量％以上がアクリル系合成樹脂粒子であり、当該アクリル系合成樹脂粒子のガラス転移点が１０〜９０℃である請求項５記載の筆記具。
【請求項７】
（Ｃ）合成樹脂粒子において、全合成樹脂粒子成分に対し固形分換算で５０質量％以上がウレタン系合成樹脂粒子であり、当該ウレタン系合成樹脂粒子のガラス転移点が６０〜１３０℃である請求項５記載の筆記具。
【発明の詳細な説明】
【技術分野】
【０００１】
本発明は、立体的な描線を描くことのできる筆記具に関する。
【背景技術】
【０００２】
ポスター、イラスト或いは装飾用の分野では、筆跡が盛り上がった立体的な描線を求められる場合があり、このような筆跡を得るために種々のインク組成物が提案されている。
例えば、特許文献１では、バインダ、着色剤及び軽量フィラにより、筆記と同時に、バインダが形成する皮膜中に軽量微粉体フィラが取り込まれて立体的な文字、図形等を得ることができる立体インクが提案されている。
しかし、この立体インクは、軽量微粉体フィラをバインダで固めて立体状の筆跡を形成しており、軽量微粉体フィラの粒度は、０．０１〜５０μｍ程度であって、ポスターなどに使用できるほどに十分盛り上がった立体的な描線を得ることはできなかった。
また、特許文献２には、強い光輝感と立体感が得られるボールペン用光輝性水性インキ組成物として、多重層フィルム粉、水溶性増粘樹脂、水溶性有機溶剤及び水を含んでなるものが提案されている。
しかし、光輝感は得られるものの、多重層フィルム粉の厚み以上の立体感が得られないので、前述同様、ポスターなどに使用するには不十分であった。
【０００３】
一方、樹脂エマルションを多量に配合したインキを用い、筆記後の立体感を維持したまま乾燥させる手法を用いたボールペンが知られている（例えば、特許文献３参照）。
しかし、立体感がペン先からのインキの吐出量に依存し、インキを多量に吐出する設計でなければ、十分な立体感を実現できないという欠点がある。一方、インキを多量に吐出した場合には、描線の乾燥に要する時間が長くなるという欠点がある。
さらに、発泡剤を内包する熱膨張性マイクロカプセルをインキに配合し、筆記後にドライヤ等で熱して立体的な描線を実現する手法を用いた水性インキが提案されている（例えば、特許文献４参照）。
しかし、このインキを用いた筆記具による最終的な描線は、立体感は得られるものの、筆記後の加熱という二次的な処理を必要とし、煩わしいという欠点がある。
【０００４】
【特許文献１】特開昭６３−２７３６７２号公報
【特許文献２】特開２００１−１９２５９８号公報
【特許文献３】特開２００６−７０２３６号公報
【特許文献４】特開２００１−３４８５２２号公報
【発明の開示】
【発明が解決しようとする課題】
【０００５】
本発明は、筆記後の加熱等の２次的な作業を不要とし、且つ十分な立体感を有する描線を描くことができる水性インキ組成物を収容した筆記具を提供することを目的とする。
【課題を解決するための手段】
【０００６】
本発明者らは、界面活性剤及び合成樹脂粒子を含む特定の水性インキ組成物、及び発泡・噴射剤を収容した筆記具とすることにより立体的な描線が得られることを見出した。
すなわち本発明は、
（１）（Ａ）脂肪酸０．５〜１０質量％、（Ｂ）疎水性部分が脂肪族炭化水素であるノニオン系界面活性剤０．５〜１０質量％、（Ｃ）合成樹脂粒子が固形分で５〜４０質量％、及び（Ｄ）水を少なくとも含む起泡性の水性インキ組成物が、（Ｅ）発泡・噴射剤とともに加圧状態が保てる容器に収容されていることを特徴とする筆記具、
（２）（Ａ）脂肪酸が、炭素数１４〜１８である前記（１）記載の筆記具。
（３）（Ｂ）のノニオン系界面活性剤の親水性部分がポリグリセリン又はショ糖の何れかの骨格からなる前記（１）又は（２）記載の筆記具、
（４）（Ｂ）のノニオン系界面活性剤の疎水性部分が炭素数１０〜２０の脂肪族炭化水素である前記（１）〜（３）のいずれかに記載の筆記具、
（５）（Ｃ）合成樹脂粒子がアクリル系若しくはウレタン系のいずれかの粒子を含む前記（１）〜（４）のいずれかに記載の筆記具、
（６）（Ｃ）合成樹脂粒子において、全合成樹脂粒子成分に対し固形分換算で５０質量％以上がアクリル系合成樹脂粒子であり、当該アクリル系合成樹脂粒子のガラス転移点が１０〜９０℃である前記（５）記載の筆記具、及び
（７）（Ｃ）合成樹脂粒子において、全合成樹脂粒子成分に対し固形分換算で５０質量％以上がウレタン系合成樹脂粒子であり、当該ウレタン系合成樹脂粒子のガラス転移点が６０〜１３０℃である前記（５）記載の筆記具、
を提供するものである。
【発明の効果】
【０００７】
本発明の筆記具は、脂肪酸、ノニオン系界面活性剤及び合成樹脂粒子を含むインキ組成物との配合を特定し、これを発泡・噴射剤と共に加圧状態が保てる容器に収容しているので、その描線は、起泡性、泡のきめの細かさ、泡の持続性、乾燥性、復元性、定着性、硬さが適度で、べたつきもないので、従来のように筆記後の加熱等の２次的な作業することがなく、ポスターやイラストなどの立体的な描線が得られる筆記具として利用できる。
【発明を実施するための最良の形態】
【０００８】
（水性インキ組成物）
本発明の筆記具は、加圧状態に保てる容器に収容される起泡性の水性インキ組成物が、
（Ａ）脂肪酸０．５〜１０質量％、（Ｂ）疎水性部分が脂肪族炭化水素であるノニオン系界面活性剤０．５〜１０質量％、（Ｃ）合成樹脂粒子が固形分で５〜４０質量％、及び
（Ｄ）水を少なくとも含み、さらに（Ｅ）発泡・噴射剤がともに収容されていることを特徴としており、（Ａ）〜（Ｄ）で構成される水性インキ組成物に特徴がある。
【０００９】
本発明に用いられる水性インキ組成物の（Ａ）脂肪酸は、起泡性の基剤となる成分とインキ中の成分の分散性、泡の安定性等を考慮して配合される。脂肪酸は、インキの十分な起泡性の観点から、０．５〜１０質量％含まれることが好ましく、０．５質量％未満では目的とする効果が得られず、１０質量％を超えるとインキの安定性に悪影響を及ぼす。脂肪酸としては、ラウリル酸、ミリスチン酸、パルミチン酸、ステアリン酸、オレイン酸、ベヘニン酸を挙げることができるが、炭素数１４〜１８のカルボン酸である例えばパルミチン酸を主体とし、これにミリスチン酸やステアリン酸等の他の脂肪酸を１種または２種以上を組み合わせて配合することができる。
十分な起泡性を得られるという観点からは、ラウリル酸、ミリスチン酸が好ましいが、描線が弱くなる傾向があり、一方、十分にきめ細かな泡を得るためには、パルミチン酸、ステアリン酸が好ましく、これらを適宜配合することで泡を適度に調整することができる。
混合することでインキ粘度が低下してハンドリング性が良くなり好ましい。
【００１０】
また、本発明のインキ組成物においては、染料等の分散安定性、泡の持続性、粘度の調整等の観点から、ノニオン系界面活性剤を前記の脂肪酸と組み合わせて使用するものである。ノニオン系界面活性剤としては、脂肪酸エステルとして疎水基の脂肪酸部分の炭素数が１０〜２０の高級脂肪酸のモノエステルで、ＨＬＢが１０以上であり、かつ、その疎水部分が（Ａ）の脂肪酸構造に類似しているものが、発生した泡を長時間持続できる点で特に好ましい。好適なノニオン系界面活性剤としては、ヘキサグリセリンステアリルエステル又はデカグリセリンステアリルエステル等を挙げることができる。
また、親水性部分はグリセリン又はその重合体、ソルビタン、プロピレングリコール若しくはショ糖構造であることが望ましい。特にポリグリセリン構造又はショ糖構造であることが望ましく、更に重合度が４〜１０であるポリグリセリン構造を有することが望ましい。ポリグリセリン構造の重合度は、更に好ましくは６〜８であり、４未満では満足な溶解性が得られず、１０を超えると得られる描線がべたつき、タック性が生じる。
これらの構造を有するノニオン系界面活性剤を選択することで、きめ細かな泡を発生させ、更には長時間にわたってその泡構造を保持することが可能となる。望ましいノニオン系活性剤として、市販されているものを以下に例示する。
【００１１】
ポリグリセリン脂肪酸エステルとしては、日光ケミカルズ社製の、NIKKOL Decaglyn １−Ｌ(デカグリセリンモノラウリルエステル）、同１−Ｍ（デカグリセリンモノミリスチルエステル）、同１−ＳＶ（デカグリセリンモノステアリルエステル）、Hexaglyn １−Ｌ（ヘキサグリセリンモノラウリルエステル）、同１−Ｍ（ヘキサグリセリルモノミリスチルエステル）、同１−ＳＶ（ヘキサグリセリルモノステアリルエステル）、三菱化学フーズ社製のリョートーポリグリエステルＳ−２４Ｄ、ＳＷＡ−１０Ｄ（デカグリセリンステアリルエステル）、同Ｌ−１０Ｄ（デカグリセリンラウリルエステル）、同Ｍ−１０Ｄ（デカグリセリンミリスチルエステル）、同Ｐ−８Ｄ（デカグリセリンパルミチルエステル）等を挙げることができる。
また、ショ糖エステルとしては、三菱化学フーズ社製のリョートーポリグリエステルＬ−１６９５(ショ糖ミリスチン酸エステル)、同Ｐ−１５７０（ショ糖パルミチン酸エステル）、同Ｓ−１６７０（ショ糖ステアリン酸エステル）等を挙げることができる。
【００１２】
インキ組成物中の脂肪酸及びノニオン系界面活性剤の合計配合量は、起泡性、乳化安定性、保存安定性等、界面活性剤の作用・効果の観点から、１〜２０質量％、より好ましくは１〜１５質量％、特に好ましくは、３〜１０質量％である。
【００１３】
本発明においては、合成樹脂粒子を、起泡された脂肪酸及びノニオン系界面活性剤の表面に樹脂膜を形成する立体性造膜成分として、インキ組成物中に固形分として、５〜４０質量％含有する。
より好ましくは１０質量％以上、さらに好ましくは２０質量％以上、特に好ましくは２５質量％以上含有する。その上限は、好ましくは４０質量％以下である。前記樹脂粒子がインキ中に固形分で５質量％未満の場合、固形分が少なすぎるため筆跡の盛り上がりが低下し、十分な立体状の筆跡を得難い。また、前記樹脂粒子がインキ中に固形分で４０質量％を超えると、樹脂粒子が過剰に存在するため、インキの経時安定性が悪化する。
【００１４】
合成樹脂粒子としては、酢酸ビニル系、アクリル系、ウレタン系、スチレン系、ＳＢＲ、ＮＢＲなど公知の樹脂エマルションやディスパーションを使用することが可能である。用いられる合成樹脂粒子のポリマー組成としては、得られる描線の特性を考慮して選択することが可能であるが、泡の持続性を損なうことなく、且つ一定の堅牢性・柔軟性を付与させるためには、アクリル系若しくはウレタン系の合成樹脂粒子が好ましい。アクリル系合成樹脂粒子を使用した場合には、剛性のある描線が得られやすい。一方、ウレタン系合成樹脂粒子を使用した場合には、弾性を有する描線を得ることができる。また、剛性と弾性のバランスを調整するために、数種の合成樹脂粒子を併用して用いることも可能である。
市販されているアクリル系合成樹脂粒子としては、日本カーバイド社製のニカゾールＲＸ−２８４ＳＤ、同ＲＸ−７０１Ａ、ＢＡＳＦジャパン社のジョンクリル７７５、５３７、３５２Ｊ、７６４１、ウレタン系合成樹脂粒子として、第一工業製薬社製のスーパーフレックス１１０、１２６、１３０、１５０、三井化学ポリウレタン社製のタケラックＷ−６０２０、ＷＳ−６０２１、ＷＳ−５０００、ＷＳ−５１００、ＷＳ−４０００等を挙げることができる。
【００１５】
合成樹脂粒子のガラス転移点（℃）としては、アクリル系合成樹脂粒子を用いる場合には、好ましくは１０〜９０℃、更に好ましくは１０〜４０℃である。ウレタン系合成樹脂粒子を用いる場合には、ガラス転移点（℃）としては、６０〜１３０℃であることが好ましく、更に好ましくは９０〜１２０℃である。
ガラス転移点が１０℃未満であるアクリル系合成樹脂粒子を主成分とした場合には、描線の硬さが不足する傾向にあり、更に描線にべとつきが発現する。逆にガラス転移点が９０℃を超えるアクリル系合成樹脂粒子を主成分とした場合には、描線の剛性が強くなり過ぎる傾向がある。
ウレタン系合成樹脂粒子の場合、ガラス転移点が１３０℃を超えると、描線の剛性が強くなり過ぎ、被筆記面に対する固着性も不足しがちとなる。
なお、ここでいう主成分とは、インキ組成物中に添加される全（Ｃ）合成樹脂粒子成分中において、固形分換算で５０質量％以上を占める成分を示す。
異なる合成樹脂粒子を併用する場合は、アクリル系合成樹脂粒子及びウレタン系合成樹脂粒子を合計した質量が固形分換算で全合成樹脂粒子の質量合計値の５０質量％以上を占めることが望ましい。
【００１６】
ウレタン樹脂粒子は、弾性を有する描線が得られやすい反面、剛性の不足を感じる描線になる場合があるので、他の合成樹脂粒子との配合比率を適宜変更することによって、描線の硬さを調整することができる。
【００１７】
本発明の水性インキ組成物には、（Ｄ）水（精製水、イオン交換水、純水、海洋深層水等）が主媒体として含まれる。水は、インキ本剤全量に対して１０〜３０質量％含まれていることが好ましい。水の配合量が１０〜３０質量％の範囲であれば、乾燥が極端に遅くなることもない。
さらに、エタノール、イソプロピルアルコールなどを媒体として水と併用し、描線の筆記感の向上等を図ることができる。
【００１８】
本発明の水性インキ組成物において、筆跡が気泡の乱反射により白色を呈するので必ずしも着色剤は必須ではないが、有色の筆跡を得るため着色成分となる着色剤を含有せしめることが望ましい。
用いることができる、着色剤（成分）としては、本発明の効果を損なわない範囲で、水に溶解若しくは分散し有彩色を有した全ての染料、従来公知の無機系及び有機系顔料、樹脂エマルションを染料で着色した疑似顔料等を制限なく使用可能することができる。
染料としては、例えば、Ｃ．Ｉ．Ａｃｉｄ Ｂｌａｃｋ２、同２４、同２６、同４８、同５０、同５２、同５８、同６２、エオシン、フォキシン、ウオーターイエロー＃６−Ｃ、アシッドレッド、ウオーターブルー＃１０５、ブリリアントブルーＦＣＦ、ニグロシンＮＢ等の酸性染料、Ｃ．Ｉ．Ｄｉｒｅｃｔ Ｂｌａｃｋ１７、同１９、同２２、同３２、同３８、同５１、同７１、同７４、同７５等、ダイレクトスカイブルー５Ｂ、バイオレットＢＢ等の直接染料、ローダミン、メチルバイオレット等の塩基性染料を挙げることができる。
【００１９】
無機系顔料としては、例えば、金属粉などが、また、有機系顔料としては、例えば、アゾレーキ、不溶性アゾ顔料、キレートアゾ顔料、フタロシアニン顔料、ペリレン及びペリノン顔料、アントラキノン顔料、キナクリドン顔料、染料レーキ、ニトロ顔料、ニトロソ顔料などが挙げられる。より具体的には、チャンネルブラックやファーネスブラックやサーマルブラック等のカーボンブラック、チタンブラック、鉄黒、黒鉛、銅クロムブラック、コバルトブラック、べんがら、酸化クロム、コバルトブルー、酸化鉄黄、ビリジアン、カドミウムエロー、朱、カドミウムレッド、黄鉛、モリブデードオレンジ、ジンククロメート、ストロンチウムクロメート、群青、バライト粉、紺青、マンガンバイオレット、アルミニウム粉、真鈴粉等の無機顔料、アニリンブラック、ペリレンブラック、シアニンブラック、樹脂エマルションを黒染料で着色した疑似顔料、Ｃ．Ｉ．ピグメントブルー１、同ブルー１５、同ブルー１７、同ブルー２７、同レッド５、同レッド２２、同レッド３８、同レッド４８、同レッド４９、同レッド５３、同レッド５７、同レッド８１、同レッド１０４、同レッド１４６、同レッド２４５、同イエロー１、同イエロー３、同イエロー４、同イエロー１２、同イエロー１３、同イエロー１４、同イエロー１７、同イエロー３４、同イエロー５５、同イエロー７４、同イエロー８３、同イエロー９５、同イエロー１６６、同イエロー１６７、同オレンジ５、同オレンジ１３、同オレンジ１６、同バイオレット１、同バイオレット３、同バイオレット１９、同バイオレット２３、同バイオレット５０、同グリーン７等が例示され、これらの中の１種類以上を選択し、良好な着色剤として使用することができる。
これらの着色剤の含有量は、インキ組成物全量に対して、好ましくは、０．１〜１５質量％とすることが望ましい。
【００２０】
さらに、本発明の水性インキ組成物には、上記以外の成分として、本発明の効果を損なわない範囲で、水性用インキ組成物に汎用されている添加物（任意成分）を適宜用いることができる。
添加剤としては、防腐剤若しくは防黴剤として、フェノール、ナトリウムオマジン、ペンタクロロフェノールナトリウム、１，２−ベンズイソチアゾリン３−オン、２，３，５，６−テトラクロロ−４（メチルスルフォニル）ピリジン、安息香酸ナトリウムなど、安息香酸やソルビタン酸やデヒドロ酢酸のアルカリ金属塩、ベンズイミダゾール系化合物などが挙げられる。
また、防錆剤としては、ベンゾトリアゾール、ジシクロへキシルアンモニウムナイトライト、ジイソプロピルアンモニウムナイトライト、トリルトリアゾール、サポニン類などが挙げられる。ｐＨ調整剤としては、尿素、アンモニア水、モノエタノールアミン、トリエタノールアミン、アミノメチルプロパノール、トリポリリン酸ナトリウムなどのリン酸のアルカリ金属塩、水酸化ナトリウムなどのアルカリ金属の水酸化物等が挙げられる。
また、潤滑剤としては、ポリオキシエチレンラウリルエーテルなどのポリアルキレングリコール誘導体、脂肪酸アルカリ塩、ジメチレンポリシロキサンのポリエチレングリコール付加物などのポリエーテル変性シリコーンなどが挙げられる。
さらに、分散効果を付与する目的で各種の添加剤を添加することも可能である。例えば、ポリオキシエチレンのアルキルエーテルやアルキルエステル、フッ素系界面活性剤などが挙げられる。
【００２１】
さらに、本発明において、筆記用インキとして用いる場合には、水溶性の粘度調整剤を含有せしめることができる。
用いることのできる粘度調整剤としては、例えば、合成高分子、セルロースおよび多糖類からなる群から選ばれる少なくとも一種（各単独又はこれらの２種以上の混合物）が挙げられる。
合成高分子としては、例えば、ポリアクリル酸類、ポリビニルアルコール、ポリエチレンオキサイド、ポリビニルピロリドン、ポリビニルメチルエーテル、ポリアクリルアマイドなどを、セルロースとしては、エチルセルロース、メチルセルロース、ヒドロキシメチルセルロース、カルボキシメチルセルロースなどが挙げられ、更に、多糖類としては、例えば、キサンタンガム、グアーガム、カゼイン、アラビアガム、ゼラチン、カラギーナン、アルギン酸、トラガカントガム、ローカストビーンガムなどが挙げられる。
【００２２】
（発泡・噴射剤）
本発明の筆記具には、水性インキ組成物と、起泡のため及びインキを収容体から吐出して筆記するための発泡・噴射剤が含まれる。
本発明の発泡・噴射剤において、発泡剤の成分としては、沸点が−４５℃から４０℃の低沸点の液化ガス又は高揮発性の液体を使用することができ、例えば、シクロプロパン、ｎ−プロパン、ｎ−ブタン、イソブタン、シクロブタン、ｎ−ペンタン、イソペンタン、液化石油ガス（ＬＰＧ）、液化天然ガス（ＬＮＧ）等の炭化水素系のものや、フロン（特定フロン：ＣＦＣ類）、代替フロン（ＨＣＦＣ類、ＨＦＣ類）を使用することができ、これらの複数のものを併用することもできる。
発泡剤は、収容管内部で気化して内圧を上げる効果もあるので、噴射剤の役割を持たせることもできる。これらの中で、イソペンタン、ｎ−ペンタン、ｎ−ブタンが、適度な発泡速度となるためより好ましく、また、イソペンタンとｎ−ペンタン、ｎ−ブタンを適宜混合して発泡速度を調整することも好適に行える。
また、本発明の発泡・噴射剤の噴射剤の成分としては、水に対する溶解性の低い圧縮ガスが必要に応じて使用できる。圧縮ガスの具体例としては、窒素ガス、酸素ガス、ヘリウムガス、ネオンガス、アルゴンガス、空気及びそれらの混合ガスからなる群から選ばれた少なくとも１種を挙げることができ、複数のものを併用することもできる。
発泡成分の配合量は、水性インキ本剤１００質量部に対して１〜１０質量部である。発泡成分の配合量が１〜１０質量部の範囲であれば、筆跡の立体感が不足することがなく、また膨れすぎて破泡状となることもない。
また、本発明の水性インキ組成物に使用できる発泡・噴射剤の噴射成分としては、液化石油ガス（ＬＰＧ）、液化天然ガス（ＬＮＧ）、あるいは水に対する溶解性の低い圧縮ガスが用いられる。圧縮ガスの具体例としては、窒素ガス、酸素ガス、ネオンガス、空気及びそれらの混合ガスからなる群から選ばれた少なくとも１種を挙げることができ、複数のものを併用することもできる。
この噴射成分の使用量は、特に限定されるものではないが、インキ収容部の内圧が約５０〜１０００ｋＰａ（ゲージ圧）、最適には約１００〜３００ｋＰａ（ゲージ圧）である。
【００２３】
（筆記具）
本発明の筆記具について、ボールペンを例にして説明する。上記水性インキ組成物は、加圧下においてインキ収容管に充填され、非筆記状態においては、発泡・噴射剤及び上記コイル状スプリングの作用によって、ボールが先端方向に押し付けられることによって、密封状態となり、筆記によりボールが移動することで、この状態が開放されインキが吐出する噴射システムを有している。
以下、図１により説明する。図１は本発明の筆記具におけるボールペンの態様を表す説明図であり、ボールペンの断面を示している。具体的には、図１に示すように、インキ収容管１と、内部に収容された起泡性の水性インキ組成物２と、インキ収容管１に直接又は継ぎ手部材３を介して慣用的に用いられるボールペンチップ４が装着される。当該ボールペンチップ４の内部には、先端のボール５を常時前方に押圧するように設置されたコイル状スプリング６が具備され、スプリング６はボールペンチップ４の端部に当接されている。また、圧力と密閉性を保つため、蓋体８を有している。
インキ収容管１は、その太さ、長さ等は特に限定されず、その材質も金属や樹脂など従来公知のものが使用できるが、気密性や非透過性を考慮すると金属が望ましく、インキ残量の視認性や材料コストを考慮すると樹脂が好ましい。但し、いずれの材質においても、ガスや水分が透過しないこと及び気密性は、具備されていなければならない。
インキの吐出機構としては、ボールバルブ機構を内蔵したボールペンチップであれば、特に限定されず、例えば特開２００１−１９１６７９号等に記載のボールチップ構造を具備していればよい。
【実施例】
【００２４】
以下に実施例、比較例により、本発明をさらに具体的に説明するが、本発明は、以下の例によってなんら限定されるものではない。
【００２５】
実施例１〜９、比較例１〜３
筆記具の作製
表１、表２及び表３に示す組成を配合した実施例及び比較例の水性インキ組成物と発泡・噴射剤とでインキを作製した。手順は、各実施例及び比較例の配合の組成物を７０℃まで加温しながら十分に均一になるまで撹拌した後、２５℃の室内にて、内容積が１６ｍｌである筆記具の収容管内部を真空にし、水性インキ組成物を８ｇ充填し、発泡・噴射剤としてイソペンタンを０．６ｇとｎ−ブタンを０．６ｇ充填し、さらに常圧で８ｍｌ分の窒素ガスを充填し、収容管内部の内圧を約２００〜３００ｋＰａ（ゲージ圧）とした。
この筆記具を用いて、上質紙〔日本製紙株式会社製、ＤＳＫ−Ｎ＜５５＞用紙〕に１,０００〜３,０００ｍｇ／１００ｍ、最適には約１,０００〜２,０００ｍｇ／１００ｍのインキ流量でペン先からインキを吐出してループを描き、次の１）〜８）に記載の各項目について、その評価基準により、目視及び手触りで筆記性の評価を実施した。
【００２６】
１）起泡性
評価基準
◎：泡立ちが良く、筆記描線の断面が半円形から円形に近い立体感のある描線が得られる。
○：泡立ちが良く、筆記描線の断面はやや扁平な半円状の立体感のある描線が得られる。
△：泡立つことにより立体感がある描線が得られる。筆記描線の断面は扁平である。
×：泡立ちが悪く、立体感のある筆記描線が得られない。
【００２７】
２）泡のきめ細かさ
評価基準
◎：泡がきめ細かく、クリーミーな見た目を有している。
○：１つ１つの泡は見えるが、きめ細かい見た目を有している。
△：１つ１つの泡は大きめだが、つながりのある描線となっている。
×：泡が大きすぎ、又は、泡が生じず滑らかな筆記描線になっていない。
【００２８】
３）泡の持続性
評価基準
◎：筆記描線は乾燥後も筆記直後の立体感をそのまま維持している。
○：筆記描線は乾燥後も立体感を維持し、充分な立体感を有している。
△：乾燥後の筆記描線の立体感は筆記直後より減少するが、乾燥後も立体感は残っている。×：筆記描線は乾燥後、泡が消えてしまうことにより、立体感は失われる。
【００２９】
４）乾燥性
◎：筆記１時間経過後、筆記描線は完全に乾燥
○：筆記１時間後、筆記描線はほぼ乾燥。内部にやや未乾燥部分が残っている。
△：筆記１時間後、描線の表面はほぼ乾燥。内部に多少の未乾燥部分が残っている。
×：筆記描線は筆記１時間後も乾燥していない。
【００３０】
５）定着性
評価基準
◎：乾燥後の筆記描線は、指で引っ掻くなどしない限り、剥がれたり、崩れたりしない。
○：乾燥後の筆記描線は、通常使用の範囲内では充分な強度を有し、指で引っ掻くなどしない限り、剥がれたり、崩れたりしない。
△：乾燥後の筆記描線は、描線を指で引っ掻いたり押したりすると、剥がれたり、崩れたりするが、そのままでは立体感のある描線を保つことができる。
×：乾燥後の筆記描線は、軽く触れるだけで、流れたり、つぶれたり、剥がれたり、粉末状に崩れてしまったりする。
【００３１】
６）硬さ
評価基準
◎：乾燥後の筆記描線は、指で強く押さない限り変形したり崩れたりしない。
○：乾燥後の筆記描線は、指で軽く押しても変形したり崩れたりしない。
△：乾燥後の筆記描線は、指で軽く押せば変形したり崩れたりするが、通常の状態では立体的な描線を保つことができる。
×：乾燥後の筆記描線は、指で触れる程度で変形したり崩れたりする。
【００３２】
７）復元性
評価基準
◎：乾燥後の筆記描線は、指で軽く押して変形させても、厚みが復元して元のままの立体描線に戻る。
○：乾燥後の筆記描線は、指で軽く押して変形させると、描線の厚みは少し失われるものの、復元して立体感のある描線を保つ。
△：乾燥後の筆記描線は、指で軽く押して変形させると、描線の厚みはかなり失われて扁平になるものの、立体感は残る。
×：乾燥後の筆記描線は、指で軽く押して変形させると、完全につぶれてしまったり、崩れたりして立体感を失う。
【００３３】
８）べたつき
評価基準
◎：乾燥後の筆記描線は、つるつる・サラサラ・カサカサといった感触を有している。べたつき感は全くなく、埃などによる汚れは付着しない。
○：乾燥後の筆記描線は、つるつる・サラサラ・カサカサといった感触を有している。湿気が多いとわずかにしっとり感やべたつき感を感じることがあるが、気にならない。
△：乾燥後の筆記描線は、多少のしっとり感やべたつき感を感じることがあるが、気になる程ではない。ものとの接触や、埃っぽい環境下において、やや汚れが付着する。
×：乾燥後の筆記描線は、指への接着性が観察されたり、液体状のものが指に付着したりする。汚れを吸着しやすい。
【００３４】
【表１】
2008279629.tif 000003
【００３５】
【表２】
2008279629.tif 000004
【００３６】
【表３】
2008279629.tif 000005
表１に示す実施例より、本発明の水性インキ組成物により筆記された描線は、復元性、定着性、硬さが良好な立体描線が得られることがわかる。
また、合成樹脂粒子では、ウレタン系ディスパージョンが復元性に優れ、アクリル系エマルションが乾燥性に優れていることがわかる。
【産業上の利用可能性】
【００３７】
本発明の筆記具は、脂肪酸及びノニオン系界面活性剤及び合成樹脂粒子を含む水性インキ組成物に発泡・噴射剤を配合して加圧状態が保てるインキ収容管に収容し、当該インキ収容管の先端（ペン先）からインキを吐出しつつ筆記すると、常圧下へ解き放たれたインキ内の発泡剤などの液滴が気体へ相転移して、描線が膨らむことにより簡便に立体的な描線が得られるので、ポスター等の意匠文字や絵柄等を作成するための筆記具として有効に利用できる。
【図面の簡単な説明】
【００３８】
【図１】本発明の筆記具の一例の断面説明図
【符号の説明】
【００３９】
１．  インキ収容管
２．  インキ組成物
３．  継手部材
４．  ボールペンチップ
５．  先端ボール
６．  スプリング
７．  ボール弁
８．  蓋体
１０．  筆記具
【図１】
2008279629.tif 000006